(57)【要約】      （修正有）【課題】オゾン・マイナスイオン・除菌機のマイナス電位導入型の健康増進が可能な三位一体の空気洗浄器を提供する。【解決手段】オゾンマイナスイオン除菌機のマイナス電位導入型の三位一体の空気洗浄器であって、主に、本体前側端面に、入風口を設け、背側端面上方に、出風口を設け、本体に進入する風は、ファンにより、オゾン生成器を経て、出風口から排出され、本体内部のオゾン生成器、及び、マイナスイオン生成器により、空気の洗浄、殺菌、及び、マイナスイオン散布の動作を行い、同時に、マイナス電位生成器は、高圧出力マイナス電気を導電パッドに送ることにより、マイナス電気を人体に導入して、マイナス電位を補充する空気洗浄器である。【選択図】図１
0003112199.tif 000002
【実用新案登録請求の範囲】
【請求項１】
オゾンマイナスイオン除菌機のマイナス電位導入型の三位一体の空気洗浄器であって、主に、本体の前側端面に、入風口を設け、前記入風口上方に、制御パネルを設け、前記本体の背側上端弧状端角に、出風口を設け、前記本体内部に、変圧器、高圧生成器、及び、マイナス電位生成器を設置し、その内側に、ファンを有し、前記ファン上方に、鋸歯状のマイナスイオン発射針を設け、前記マイナスイオン発射針の上方は、オゾン生成器であることを特徴とする空気洗浄器。
【請求項２】
前記出風口の幅は、前記ファンの幅を超過することを特徴とする請求項１に記載の空気洗浄器。
【請求項３】
前記制御パネル上に、マイナス電位スロットを設置し、前記マイナス電気スロットは、導電パッドの連接を提供し、前記導電パッドは、パッドカバー内部に、パッド体を塞設すると共に、前記パッド体上に、導電布を鋪設し、前記導電布は、高圧線を接続し、前記高圧線の端頭は、プラグであることを特徴とする請求項１に記載の空気洗浄器。
【考案の詳細な説明】
【技術分野】
【０００１】
本考案は、オゾンマイナスイオン除菌機のマイナス電位導入型の三位一体の空気洗浄器に関するものであって、特に、空気ろ過の過程で、オゾン、或いは、マイナスイオンを含む空気を吹出することが出来、導電パッドにより、生成したマイナス電気を人体に導入して、マイナス電位を補充する構造に関するものである。
【背景技術】
【０００２】
従来より空気洗浄器の使用に関し、会議室や家庭、或いは、もっと大きな空間において、一般にはフィルター式により空気を洗浄している。フィルター方式は、フィルター綿、或いは、その他の石材等の材料を利用し、基本的には全て送風機で空気を吸い込み、ろ過した後、排出するという、空気循環のフィルターシステムである。
【０００３】
しかし、単に、フィルター綿、或いは、石材により、吸入した空気をろ過するだけでは、空気をろ過する効果はあっても、空気中の細菌は除去されないので、人が多く出入する場所では、細菌による疾病が伝染しやすい。よって、当業者は、オゾン発生器、及び、マイナスイオン発生器により、空気中の細菌を除去する機能を備えた器具を開発してきた。
【０００４】
従来公知のオゾン生成器のオゾン送出の構造は、ほとんどが、高圧生成器をオゾン生成器に提供することにより、オゾン生成した後、更に、ポンプを用いて、高圧空気により、オゾンを送り出し、オゾンを空気中に散出させ、殺菌目的を達成する。
しかし、オゾン生成器が、ポンプを利用して、高圧気体を送出する時、空気はろ過されておらず、また、ポンプを利用して空圧を送出する時、送出量も、オゾンの生成量に合わせなければならないので、過大な高圧空気は、オゾンの送出量を制御しないばかりか、ポンプのコストが高く、オゾン生成器のコストが高くなる。
【特許文献１】特開２００５−０１３８３１号公報
【考案の開示】
【考案が解決しようとする課題】
【０００５】
本考案は上記の問題点に鑑みてなされたもので、オゾン・マイナスイオン・除菌機のマイナス電位導入型の三位一体の空気洗浄器を提供し、空気の洗浄、殺菌、及び、マイナスイオン散布の動作を行うことを目的とする。
【０００６】
また、本考案は、オゾンマイナスイオン除菌機のマイナス電位導入型の三位一体の空気洗浄器を提供し、マイナス電位生成器は、高圧出力マイナス電気を導電パッドに送ることにより、人が導電パッドに座ると、マイナス電気を人体に導入して、マイナス電位を補充し、健康を増進することをもう一つの目的とする。
【課題を解決するための手段】
【０００７】
上述の目的を達成するため、本考案のオゾンマイナスイオン除菌機のマイナス電位導入型の三位一体の空気洗浄器は、主に、本体前側端面に、入風口を設け、背側端面上方に、出風口を設け、本体に進入する風は、ファンにより、オゾン生成器を経て、出風口から排出され、本体内部のオゾン生成器、及び、マイナスイオン生成器により、空気の洗浄、殺菌、及び、マイナスイオン散布の動作を行う。
【０００８】
すなわち、請求項１の考案は、オゾンマイナスイオン除菌機のマイナス電位導入型の三位一体の空気洗浄器であって、主に、本体の前側端面に、入風口を設け、前記入風口上方に、制御パネルを設け、前記本体の背側上端弧状端角に、出風口を設け、前記本体内部に、変圧器、高圧生成器、及び、マイナス電位生成器を設置し、その内側に、ファンを有し、前記ファン上方に、鋸歯状のマイナスイオン発射針を設け、前記マイナスイオン発射針の上方は、オゾン生成器であることを特徴とする空気洗浄器である。
請求項２の考案は、前記出風口の幅は、前記ファンの幅を超過することを特徴とする請求項１に記載の空気洗浄器である。
請求項３の考案は、前記制御パネル上に、マイナス電位スロットを設置し、前記マイナス電気スロットは、導電パッドの連接を提供し、前記導電パッドは、パッドカバー内部に、パッド体を塞設すると共に、前記パッド体上に、導電布を鋪設し、前記導電布は、高圧線を接続し、前記高圧線の端頭は、プラグであることを特徴とする請求項１に記載の空気洗浄器である。
【考案の効果】
【０００９】
本考案の空気洗浄器によれば、一台の空気洗浄器で大量の空気の洗浄、殺菌、及び、マイナスイオン散布の動作を行い、ポンプの送出量をオゾンの生成量に合わせることができ、適正な高圧空気とすることができ、ポンプの効率を高めることができ、オゾン生成器・空気洗浄器全体としてコストを低く抑えることができ、健康増進が可能である。    
【考案を実施するための最良の形態】
【００１０】
本考案の好適な三位一体の空気洗浄器の実施例を、図面に沿って説明する。
図１、及び、図２に示すように、本考案の実施例のオゾンマイナスイオン除菌機のマイナス電位導入型の三位一体の空気洗浄器は、主に、本体１の前側端面に、入風口１１を設け、更に、図３に示すように、この入風口１１には、自由に取り外しが可能な組み立て型の格子状蓋体２を設置して、フィルター綿２１の交換作業の実行ができる。
入風口１１上方は、制御パネル１２で、各種動作を実行するボタンを設けている。本体１の背側上端の弧状端角に、出風口１３を設け、図４に示すように、本体１の内部に、変圧器３、高圧生成器４、及び、マイナス電位生成器５を設置し、その内側に、ファン６を有し、ファン６上方に、鋸歯状のマイナスイオン発射針７を設け、マイナスイオン発射針７の上方は、オゾン生成器８を設けている。
【００１１】
図５に示すように、出風口１３の幅に亘って、ファン６を設けられ、更に、ファン６には導電パッド９が設けられているが、図６、図７に示すように、導電パッド９が、パッドカバー９１の内部に、パッド体９２を塞設すると共に、パッド体９２上に、導電布９３を鋪設し、導電布９３は、高圧線９４を接続し、高圧線９４の端頭は、プラグ９５で、プラグ９５は、制御パネル１２のマイナス電位挿設箇所に挿設される。
【００１２】
ファン６を起動回転させ、外部の空気は、格子状蓋体２の空間から、フィルター綿２１のろ過を経て、入風口１１から本体１内に吸入され、更に、ファン６により、ろ過後の空気を、マイナスイオン発射針７に向けて吹き上げる。マイナスイオン発射針７は、鋸歯状設計なので、滝状のマイナスイオンを生成することができ、同時に、空気は、オゾン生成器８を通過して、オゾンとろ過後の空気が混合されて、更に、上方の出風口１３から排出される。
これにより、オゾンの濃度は高すぎず、人体に危害を与える危険性を回避し、鋸歯状の発射針による滝状のマイナスイオンは、ろ過後の空気に伴って、ファン６により吸入された後、出風口１３から排出されると共に、高圧線と導電布パッドにより、マイナス電位を補充する。つまり、本考案の実施例は、ろ過後の空気が、オゾン生成器８、及び、マイナスイオン発射針７を通過して、空気洗浄と殺菌の効果を達成し、オゾンは、ポンプを使用しないので、コストを減少させることができる。
また、オゾンを一定時間供給し、オゾン量が充分であるとき、オゾン生成器８を閉鎖して、ファン６を継続運転すれば、ろ過後の洗浄空気を提供することが出来、送風だけを起動して、オゾン生成器８を駆動せず、単純に、空気洗浄の使用ができる。
【００１３】
この他、マイナス電位生成器５の鋸歯状発射針を外接する設計により、排出する空気にマイナスイオンを含有させ、空気を更に清潔にし、また、空気洗浄効果が不要な時、ファン６を停止すると共に、導電パッド９のプラグ９５を、制御パネル１２のマイナス電位スロットに挿設して、マイナス電気が高圧線９４を経て、導電布９３上に伝送されるが、更に、このマイナスイオンは人体に吸収されやすく、新陳代謝を促進する。且つ、公知の手段により、テスト棒により、テスト棒のランプを地面に接近させ、ランプが点燈すれば、作用し始めたことを示す。
この他、図５で示される出風口１３の幅は、ファン６の幅より大きく、よって、入風口１１のフィルター綿２１が汚れたり、紙等の異物が挟まったりしても、出風口１３のファン６より広い箇所は、外部空気吸入のチャネルとなり、同様に、空気洗浄の効果を維持でき、本体外殻の出風口がファンの出風口の設計より大きい設計で、入風口の詰まりを防止し、モーターが過熱して功能に影響を与えるのを防ぐ。
【００１４】
本考案では好ましい実施例を前述の通り開示したが、これらは決して本考案に限定するものではなく、当該技術を熟知する者なら誰でも、本考案の特徴を脱しない範囲内で各種の変動や潤色を加えることができることは勿論である。
【図面の簡単な説明】
【００１５】
【図１】本考案の実施例の前側面の立体図である。
【図２】本考案の実施例の後側面の立体図である。
【図３】本考案の実施例の入風口蓋体を取り外した分解図である。
【図４】本考案の実施例の上視図である。
【図５】本考案の実施例の断面図である。
【図６】本考案の実施例の導電パッドの立体図である。
【図７】本考案の実施例の導電パッドの分解図である。
【符号の説明】
【００１６】
１…本体
１１…入風口
１２…制御パネル
１３…出風口
１２１…マイナス電位スロット孔
１２２…マイナス電位スロット孔
１２３…１２ボルトスロット孔
２…蓋体
２１…フィルター綿
３…変圧器
４…高圧生成器
５…マイナス電位生成器
６…ファン
７…マイナスイオン発射針
８…オゾン生成器
９…導電パッド
９１…パッドカバー
９２…パッド体
９３…導電布
９４…高圧線
９５…プラグ
【図１】
0003112199.tif 000003
【図２】
0003112199.tif 000004
【図３】
0003112199.tif 000005
【図４】
0003112199.tif 000006
【図５】
0003112199.tif 000007
【図６】
0003112199.tif 000008
【図７】
0003112199.tif 000009